(57)【特許請求の範囲】
【請求項１】
無線端末に接続される基地局であって、
前記無線端末において受信可能な信号の送信元の他の基地局の識別子を格納する記憶部と、
前記無線端末に対し前記無線端末において受信可能な信号の送信元の他の基地局の識別子を要求し、当該要求に対する前記無線端末において受信可能な信号の送信元の前記他の基地局の識別子を前記無線端末から受信し、
前記記憶部に格納される前記無線端末において受信可能な信号の送信元の他の基地局の識別子と、前記無線端末から受信した前記無線端末において受信可能な信号の送信元の前記他の基地局の識別子とに基づいて、自装置が移動したか否かを検出するプロセッサとを備える基地局。
【請求項２】
前記記憶部は、前記無線端末において受信可能な信号の前記送信元の他の基地局毎の受信品質を格納し、
前記プロセッサは、前記無線端末に対し前記無線端末において受信可能な信号の前記送信元の他の基地局毎の受信品質をさらに要求し、当該要求に対する前記無線端末において受信可能な信号の前記送信元の他の基地局毎の受信品質をさらに受信し、前記記憶部に格納される前記無線端末において受信可能な信号の送信元の他の基地局の識別子と、前記記憶部に格納される前記無線端末において受信可能な信号の前記送信元の他の基地局毎の受信品質と、前記無線端末から受信した前記無線端末において受信可能な信号の送信元の前記他の基地局の識別子と、前記無線端末から受信した前記無線端末において受信可能な信号の前記送信元の他の基地局毎の受信品質とに基づいて、自装置が移動したか否かを検出する
請求項１に記載の基地局。
【請求項３】
無線端末に接続される基地局の移動検出方法であって、
前記無線端末に対し前記無線端末において受信可能な信号の送信元の他の基地局の識別子を要求し、
当該要求に対する前記無線端末において受信可能な信号の送信元の前記他の基地局の識別子を前記無線端末から受信し、
前記基地局の記憶部に格納される前記無線端末において受信可能な信号の送信元の他の基地局の識別子と、前記無線端末から受信した前記無線端末において受信可能な信号の送信元の前記他の基地局の識別子とに基づいて、前記基地局が移動したか否かを検出する
移動検出方法。
【請求項４】
前記無線端末に対し前記無線端末において受信可能な信号の前記送信元の他の基地局毎の受信品質をさらに要求し、
当該要求に対する前記無線端末において受信可能な信号の前記送信元の他の基地局毎の受信品質にさらに受信し、
前記基地局の前記記憶部に格納される前記無線端末において受信可能な信号の送信元の他の基地局の識別子と、前記基地局の前記記憶部に格納される前記無線端末において受信可能な信号の前記送信元の他の基地局毎の受信品質と、前記無線端末から受信した前記無線端末において受信可能な信号の送信元の前記他の基地局の識別子と、前記無線端末から受信した前記無線端末において受信可能な信号の前記送信元の他の基地局毎の受信品質とに基づいて、前記基地局が移動したか否かを検出する
請求項３に記載の移動検出方法。
【発明の詳細な説明】
【技術分野】
【０００１】
本発明は、移動を検出する基地局および移動検出方法に関する。
【背景技術】
【０００２】
携帯電話サービス等の無線通信ネットワークにおいて、どこでも通信できるように、多くの基地局が設置される。基地局には、ビルの屋上や鉄塔などに設置される、半径数ｋｍ程度の通信エリア（マクロセル）をカバーする屋外基地局や、小規模店舗や一般家屋などに設置される、半径数十メートル程度の通信エリア（フェムトセル）をカバーする超小型基地局がある。屋外基地局は、マクロ基地局とも呼ばれる。超小型基地局は、Femto（フ
ェムト）基地局（以降、Femtoともいう）、フェムトセル基地局、フェムトセル小型基地
局、フェムトセル小型無線基地局とも呼ばれる。
【０００３】
無線通信ネットワークにおける基地局の設置場所は、最適なスループットが得られるように、決定される。よって、基地局は一度設置されると移動しないことを前提としている。基地局が勝手に移動されると、電波の干渉が発生する、スループットが落ちる、接続ができないといった問題が発生しうる。また、緊急呼の時に、予め登録された位置情報を警察や消防署などの緊急連絡の相手先に通知する必要があるが、勝手に移動されると緊急連絡の相手先に通知する内容と実際の位置との不整合が生じ得る。フェムト基地局は可搬性の装置であるが、フェムト基地局を勝手に移動させることを法令で規制している地域がある。例えば日本では、フェムト基地局を勝手に移動させる行為は電波法、有線電気事業法等の法令に基づく罰則の対象となり得る。上述した背景から、超小型基地局の設置位置を管理する技術が望まれている。
【０００４】
特許文献１では、超小型基地局が、その超小型基地局の電波圏内における携帯電話機などの通信装置から、その通信装置がＧＰＳ（Global Positioning System）衛星から取得
した位置情報を受信し、その位置情報を超小型基地局の管理装置へ送信するシステムが開示されている。
【０００５】
特許文献２では、無線通信端末の携帯通信網への無線通信を中継する移動可能な小型基地局が、その小型基地局の周囲に位置する他の基地局からの電波状態を監視するシステムが開示されている。特許文献２によれば、周囲に位置する他の基地局からの電波状態を監視する小型基地局が、他の基地局からの電波状態の変化を検出し、その検出された電波状態の変化に基づいてその他の基地局との位置関係の変化を検出する。そして、その小型基地局が、その検出された位置関係の変化に基づいて小型基地局の設置場所の移動を推定する。
【先行技術文献】
【特許文献】
【０００６】
【特許文献１】特開２００９−２３２２８６号公報
【特許文献２】特開２０１０−２８７２９号公報
【発明の概要】
【発明が解決しようとする課題】
【０００７】
特許文献１の技術では、超小型基地局の電波圏内に存在する携帯電話機などの無線装置がＧＰＳ受信機としての機能を正常に発揮していることが前提となる。そのため特許文献１では、ＧＰＳ衛星からの信号を受信する機能を有さない無線装置しか電波圏内に存在しない場合、超小型基地局の移動検知を作動させることができない。また特許文献１では、
ＧＰＳ衛星からの受信信号について所望の受信品質を得られない環境にあるなどＧＰＳ受信機としての機能を正常に発揮できていない無線装置しか電波圏内に存在しない場合にも、超小型基地局の移動検知を作動させることができない。
【０００８】
特許文献２の技術では、超小型基地局が周囲の基地局の電波を検出する際、超小型基地局のサービスが停止するという問題がある。すなわち、超小型基地局が周囲の基地局の電波を検出している期間は、その超小型基地局の電波圏内にいる携帯電話機などの無線装置との無線通信に係る処理がその超小型基地局において中断ないし停止される。
【０００９】
本件開示の技術は、簡易に、自装置の移動の有無を検出する基地局を提供することを課題とする。
【課題を解決するための手段】
【００１０】
開示の技術は、上記課題を解決するために、以下の手段を採用する。
【００１１】
即ち、第１の態様は、
無線端末に接続される基地局であって、
前記無線端末において受信可能な信号の送信元の他の基地局の識別子を格納する記憶部と、
前記無線端末に対し前記無線端末において受信可能な信号の送信元の他の基地局の識別子を要求し、当該要求に対する前記無線端末において受信可能な信号の送信元の前記他の基地局の識別子を前記無線端末から受信し、
前記記憶部に格納される前記無線端末において受信可能な信号の送信元の他の基地局の識別子と、前記無線端末から受信した前記無線端末において受信可能な信号の送信元の前記他の基地局の識別子とに基づいて、自装置が移動したか否かを検出するプロセッサとを備える基地局である。
【発明の効果】
【００１２】
開示の技術によれば、簡易に、自装置の移動の有無を検出する基地局を提供することができる。
【図面の簡単な説明】
【００１３】
【図１】図１は、システムの構成例を示す図である。
【図２】図２は、フェムト基地局および無線端末の構成例を示す図である。
【図３】図３は、移動情報の例を示す図である。
【図４】図４は、フェムト基地局の動作フローの例（１）を示す図である。
【図５】図５は、フェムト基地局の動作フローの例（２）を示す図である。
【図６】図６は、フェムト基地局の動作フローの例（３）を示す図である。
【図７】図７は、フェムト基地局における登録済の測定結果の比較の動作フローの例１を示す図である。
【図８】図８は、フェムト基地局における登録済の測定結果の比較の動作フローの例２を示す図である。
【図９】図９は、本実施形態における動作シーケンスの例（１）を示す図である。
【図１０】図１０は、本実施形態における動作シーケンスの例（２）を示す図である。
【図１１】図１１は、情報処理装置の構成例を示す図である。
【発明を実施するための形態】
【００１４】
以下、図面を参照して実施形態について説明する。実施形態の構成は例示であり、開示の構成は、開示の実施形態の具体的構成に限定されない。開示の構成の実施にあたって、
実施形態に応じた具体的構成が適宜採用されてもよい。
【００１５】
〔実施形態〕
本実施形態のフェムト基地局は、フェムト基地局に接続される無線端末における周囲の基地局からの信号の受信状況を、当該無線端末から取得して、フェムト基地局が移動したか否かを判定する。
【００１６】
図１は、本実施形態のシステムの構成例を示す図である。図１に示される本実施形態のシステムは、ネットワークに接続されたフェムト基地局（超小型基地局）１００、無線端末（ＵＥ： User Equipment）２０２、無線端末２０４、マクロ基地局（屋外基地局）３
０２、マクロ基地局３０４、マクロ基地局３０６を含む。
【００１７】
無線端末２０２および無線端末２０４は、共に、同様の構成を有する。以下、無線端末２０２および無線端末２０４は、無線端末２００として説明されることもある。無線端末２０２は、家屋４０２の中に存在し、無線端末２０４は、家屋４０４に存在する。また、フェムト基地局１００が家屋４０２に存在するとき、当該フェムト基地局はフェムト基地局１００Ａと称されることもある。フェムト基地局１００が家屋４０４に存在するとき、当該フェムト基地局はフェムト基地局１００Ｂと称されることもある。無線端末２０２は、マクロ基地局３０２およびマクロ基地局３０４からの電波を受信することが可能である。無線端末２０４は、マクロ基地局３０４およびマクロ基地局３０６の電波を受信することが可能である。
【００１８】
フェムト基地局１００Ａまたはフェムト基地局１００Ｂは、ネットワーク１０を介して、管理ノード４００に接続される。フェムト基地局１００は、家屋ではなく、屋外等に設置されてもよい。
【００１９】
マクロ基地局３０２、マクロ基地局３０４、マクロ基地局３０６は、いずれも、同様の構成を有する。以下、マクロ基地局３０２、マクロ基地局３０４、マクロ基地局３０６は、マクロ基地局３００として説明されることもある。
【００２０】
本実施形態のフェムト基地局１００は、例えば、フェムト基地局１００自身がフェムト基地局１００Ａの位置からフェムト基地局１００Ｂの位置に移動したことを、フェムト基地局１００に無線接続（以下、接続と呼ぶ）される無線端末２００から取得される周辺の基地局に関する情報に基づいて、検出する。
【００２１】
図２は、フェムト基地局１００および無線端末２００の構成例を示す図である。フェムト基地局１００は、ＣＰＵ１１０、メモリ１２０、ＤＳＰ１３０、ＲＦ（Radio Frequency）処理部１４０、通信インタフェース（通信ＩＦ）１５０を含む。
【００２２】
ＣＰＵ（Central Processing Unit）１１０は、測定結果要求送信部１１１、測定結果
受信部１１２、移動検出部１１３、通知部１１４として動作しうる。ＣＰＵ１１０が図２に図示しない記録媒体に記憶されたプログラムをメモリ１２０の作業領域にロードして実行し、プログラムの実行を通じてフェムト基地局１００が備えるハードウェア資源又はフェムト基地局１００に接続された周辺機器が制御されること等によって、測定結果要求送信部１１１、測定結果受信部１１２、移動検出部１１３、通知部１１４の目的に合致した機能が実現される。ＣＰＵ１１０は、プロセッサの一例である。
【００２３】
測定結果要求送信部１１１は、無線端末２００に対し、基地局からの信号の受信状況を示す測定結果を要求する。測定結果要求送信部１１１は、測定結果として、３ＧＰＰ（3rd Generation Partnership Project）におけるMeasurement Reportを送信するように要求
することができる。測定結果要求送信部１１１は、Measurement Reportを要求する代わりに、基地局からの信号の受信状況を示す他の情報を要求してもよい。
【００２４】
測定結果受信部１１２は、無線端末２００から、測定結果を受信する。測定結果は、例えば、３ＧＰＰにおけるMeasurement Reportである。測定結果には、少なくとも無線端末２００が受信できる信号を送信するマクロ基地局３００を識別する識別子（基地局ＩＤ）が含まれる。測定結果によって、無線端末２００がどのマクロ基地局３００から信号を受信しうるかが分かる。また、測定結果には、マクロ基地局３００毎の受信信号の受信品質の情報が含まれてもよい。測定結果には、フェムト基地局１００からの受信信号の受信品質の情報が含まれてもよい。受信品質の一例は、ＲＳＲＰ（Reference Signal Received Power）である。
【００２５】
移動検出部１１３は、無線端末２００から受信した測定結果に基づいて、フェムト基地局１００が移動したか否かを判定する。
【００２６】
通知部１１４は、ネットワーク１０を介して、フェムト基地局１００の移動を、管理ノード４００に通知する。
【００２７】
メモリ１２０は、移動情報１２１を格納する。メモリ１２０は、ＲＡＭ（Random Access Memory）やＲＯＭ（Read Only Memory）を含む。メモリ１２０は、記憶部の例である。メモリ１２０には、ＣＰＵ１１０等で使用されるプログラム、各種データが格納されうる。
【００２８】
移動情報１２１は、無線端末２００から受信した測定結果を含む。移動情報１２１には、無線端末２００が受信した信号を送信したマクロ基地局３００を識別する識別子が含まれる。また、移動情報１２１には、当該受信した信号の受信品質の情報が含まれ得る。
【００２９】
図３は、移動情報の例を示す図である。図３の例では、移動情報１２１として、基地局ＩＤ、受信品質、受信回数が、対応付けられて格納されている。また、移動情報１２１として、受信日時が格納されてもよい。基地局ＩＤの代わりに基地局が有するセルを識別するセルＩＤが使用されてもよい。また、移動情報１２１として、基地局ＩＤと共に信号の送信元のセルのセルＩＤが格納されてもよい。
【００３０】
ＤＳＰ（Digital Signal Processor）１３０は、デジタル信号処理を行うプロセッサである。ＤＳＰ１３０は、ＲＳ信号生成部１３１として動作しうる。ＤＳＰ１３０の機能は、ＣＰＵ１１０で実現されてもよい。また、フェムト基地局１００は、２以上のＤＳＰ１３０を含んでもよい。
【００３１】
ＲＳ（Reference Signal）信号生成部１３１は、ＲＳ信号を生成する。ＲＳ信号は、参照信号（基準信号）である。なお、無線通信の規格によってはパイロット信号、既知信号と呼ばれることもある。無線端末２００等が、ＲＳ信号を受信し、ＲＳ信号の受信電力を測定することで、無線端末２００における受信品質が推定される。
【００３２】
図２に示す例では、測定結果要求送信部１１１、測定結果受信部１１２、移動検出部１１３、通知部１１４の実行主体（ＣＰＵ１１０）と、ＲＳ信号生成部１３１の実行主体（ＤＳＰ１３０）とを異ならせているが、同一のプロセッサにより実行してもよい。また、測定結果要求送信部１１１、測定結果受信部１１２、移動検出部１１３、通知部１１４、ＲＳ信号生成部１３１などの機能部のうち一部の処理をＦＰＧＡ（Field-Programmable Gate Array）などの回路で実装してもよい。また、本実施例のフェムト基地局１００に係
る機能部の処理を実装するＦＰＧＡ（Field-Programmable Gate Array）などの回路と、
本実施例のフェムト基地局１００に係る機能部の処理を実装するプログラムを実行するＣＰＵ、ＤＳＰなどのプロセッサとを１つのチップ上に搭載してもよい。
【００３３】
ＲＦ（Radio Frequency）処理部１４０は、図２に図示しないアンテナ、アンテナに給
電する無線信号の駆動回路、アンテナからの信号を処理する無線信号の受信回路等を含み、無線端末２００との間の無線通信に係る無線信号の処理を実現する。図２に図示する信号送受信部１４１は、上述のＲＦ処理部１４０において実現される無線信号の処理、すなわち無線端末２００との間で無線信号の送受信を行う処理を機能的に表現したものである。
【００３４】
通信インタフェース１５０は、他の装置とネットワークを介して接続するためのインタフェースである。通信インタフェース１５０は、例えば、ＬＡＮ（Local Area Network）インタフェースボードである。
【００３５】
フェムト基地局１００は、コンピュータを搭載した電子機器、あるいは、ＰＣ、ＰＤＡ（Personal Digital Assistant）のような専用または汎用のコンピュータを使用して実現可能である。
【００３６】
無線端末２００は、ＣＰＵ２１０、ＦＰＧＡ２２０、ＲＦ処理部２３０を含む。無線端末２００は、フェムト基地局１００から測定結果要求を受信し、基地局からの信号の受信状況を測定する。無線端末２００は、測定した受信状況を測定結果として、フェムト基地局１００に送信する。測定結果には、少なくとも、受信した信号の送信元の基地局の識別子（基地局ＩＤ）が含まれる。無線端末２００は、各基地局から送信される信号（例えば、ＲＳ信号）を受信する。
【００３７】
ＣＰＵ２１０は、測定結果要求受信部２１１、測定結果送信部２１２として動作しうる。ＣＰＵ２１０が図２に図示しない記録媒体に記憶されたプログラムを図２に図示しないメモリの作業領域にロードして実行し、プログラムの実行を通じて無線端末２００が備えるハードウェア資源又は無線端末２００に接続された周辺機器が制御されること等によって、測定結果要求受信部２１１、測定結果送信部２１２の目的に合致した機能が実現される。ＣＰＵ２１０は、プロセッサの一例である。
【００３８】
測定結果要求受信部２１１は、フェムト基地局１００からの測定結果要求を受信する。測定結果要求受信部２１１は、フェムト基地局１００からの測定結果要求を受信すると、ＲＳＲＰ測定部２２１に、基地局からの信号の受信状況（受信品質）を測定させる。測定結果は、例えば、３ＧＰＰにおけるMeasurement Reportである。
【００３９】
３ＧＰＰにおけるMeasurement Reportは、次のように送信される。例えば、まず、フェムト基地局１００は、無線端末２００に対して、Measurement Reportの要求を送信する。Measurement Reportの要求とは、無線端末２００がフェムト基地局１００にMeasurement Reportを送信することの要求である。一方、無線端末２００は、Measurement Reportの要求を受信する。また、無線端末２００は、基地局から送信される参照信号（ＲＳ信号）を受信する。無線端末２００は、受信した参照信号から、基地局毎に参照信号受信電力（ＲＳＲＰ）を測定する。そして、無線端末２００は、ＲＳ信号の送信元の基地局毎の基地局ＩＤと、ＲＳＲＰとを含むMeasurement Reportをフェムト基地局１００に送信する。以上の結果、フェムト基地局１００は、無線端末２００からMeasurement Reportを受信する。そして、フェムト基地局１００は、無線端末２００から受信したMeasurement Reportを記録する。
【００４０】
測定結果送信部２１２は、ＲＳＲＰ測定部２２１によって測定された測定結果を、フェ
ムト基地局１００に送信する。
【００４１】
ＦＰＧＡ（Field-Programmable Gate Array）２２０は、ＲＳＲＰ測定部２２１として
動作しうる。ＦＰＧＡ２２０は、基地局からの信号の受信品質を測定する機能を有する。
【００４２】
ＲＳＲＰ測定部２２１は、基地局からの基準信号（ＲＳ信号）の基準信号受信電力（ＲＳＲＰ）を基地局毎に測定する。無線端末２００は、他の受信品質を示す指標値を測定し、フェムト基地局１００に送信してもよい。また、無線端末２００は、受信した信号（ＲＳ信号）の送信元の基地局の識別子を測定結果としてもよい。
【００４３】
図２に示す例では、測定結果要求受信部２１１、測定結果送信部２１２の実行主体（ＣＰＵ２１０）と、ＲＳＲＰ測定部２２１の実行主体（ＦＰＧＡ２２０）とを異ならせているが、同一のプロセッサにより実行してもよい。また、測定結果要求受信部２１１、測定結果送信部２１２などの機能部のうち一部の処理をＦＰＧＡなどの回路で実装してもよい。また、本実施例の無線端末２００に係る機能部の処理を実装するＦＰＧＡなどの回路と、本実施例の無線端末２００に係る機能部の処理を実装するプログラムを実行するＣＰＵなどのプロセッサとを１つのチップ上に搭載してもよい。
【００４４】
ＲＦ処理部２３０は、図２に図示しないアンテナ、アンテナに給電する無線信号の駆動回路、アンテナからの信号を処理する無線信号の受信回路等を含み、フェムト基地局１００、マクロ基地局３００との間の無線通信に係る無線信号の処理を実現する。図２に図示する信号送受信部２３１は、上述のＲＦ処理部２３０において実現される無線信号の処理、すなわち基地局１００ないし３００との間で無線信号の送受信を行う処理を機能的に表現したものである。
【００４５】
無線端末２００は、スマートフォン、携帯電話、カーナビゲーション装置のような専用または汎用のコンピュータ、あるいは、コンピュータを搭載した電子機器を使用して実現可能である。
【００４６】
マクロ基地局３００は、無線端末２００と無線通信する。マクロ基地局３００は、上位装置等とネットワークに接続される。マクロ基地局３００は、上位装置などによって管理される。マクロ基地局３００は、フェムト基地局１００と同様に、ＲＳ信号を生成し、ＲＳ信号を送信しうる。ＲＳ信号は、無線端末２００によって受信されうる。
【００４７】
管理ノード４００は、ネットワーク１０を介して、フェムト基地局１００を管理する。また、管理ノード４００は、マクロ基地局３００を管理してもよい。管理ノード４００は、フェムト基地局１００の移動の検出を通知されうる。
【００４８】
図１１は、情報処理装置の構成例を示す図である。フェムト基地局１００や無線端末２００を実現するコンピュータ、すなわち、情報処理装置は、プロセッサ、主記憶装置、及び、二次記憶装置や、通信インタフェース装置のような周辺装置とのインタフェース装置を含む。主記憶装置及び二次記憶装置は、コンピュータ読み取り可能な記録媒体である。
【００４９】
コンピュータは、プロセッサが記録媒体に記憶されたプログラムを主記憶装置の作業領域にロードして実行し、プログラムの実行を通じて周辺機器が制御されることによって、所定の目的に合致した機能を実現することができる。
【００５０】
プロセッサは、例えば、ＣＰＵ（Central Processing Unit）やＤＳＰ（Digital Signal Processor）である。主記憶装置は、例えば、ＲＡＭ（Random Access Memory）やＲＯ
Ｍ（Read Only Memory）を含む。
【００５１】
二次記憶装置は、例えば、ＥＰＲＯＭ（Erasable Programmable ROM）、ハードディス
クドライブ（ＨＤＤ、Hard Disk Drive）である。また、二次記憶装置は、リムーバブル
メディア、即ち可搬記録媒体を含むことができる。リムーバブルメディアは、例えば、ＵＳＢ（Universal Serial Bus）メモリ、あるいは、ＣＤ（Compact Disk）やＤＶＤ（Digital Versatile Disk）のようなディスク記録媒体である。
【００５２】
通信インタフェース装置は、例えば、ＬＡＮ（Local Area Network）インタフェースボードや、無線通信のための無線通信回路である。
【００５３】
周辺装置は、上記の二次記憶装置や通信インタフェース装置の他、キーボードやポインティングデバイスのような入力装置や、ディスプレイ装置やプリンタのような出力装置を含む。また、入力装置は、カメラのような映像や画像の入力装置や、マイクロフォンのような音声の入力装置を含むことができる。また、出力装置は、スピーカのような音声の出力装置を含むことができる。
【００５４】
（動作例）
図４、図５、図６は、フェムト基地局の動作フローの例を示す図である。図４の「Ａ１」、「Ａ２」は、それぞれ、図５の「Ａ１」、「Ａ２」と接続する。図５の「Ｂ１」、「Ｂ２」、「Ｂ３」は、それぞれ、図６の「Ｂ１」、「Ｂ２」、「Ｂ３」と接続する。図４、図５、図６の動作フローは、フェムト基地局１００の電源が投入されることによって開始される。図４、図５、図６の動作フローは、フェムト基地局１００の利用者からの指示によって開始されてもよい。
【００５５】
フェムト基地局１００は、無線端末２００が自装置１００に接続されているか否かを確認する（Ｓ１０１）。無線端末２００がフェムト基地局１００に接続されていない場合（Ｓ１０１；ＮＯ）、フェムト基地局１００は、無線端末２００が接続されるまで待機する。無線端末２００がフェムト基地局１００に接続されている場合（Ｓ１０１；ＹＥＳ）、処理がステップＳ１０２に進む。
【００５６】
フェムト基地局１００は、接続されている無線端末２００に対して、測定結果を要求する（Ｓ１０２）。測定結果は、無線端末２００における、基地局（マクロ基地局３００、フェムト基地局１００）からの信号の受信状況を示す情報である。当該基地局は、無線端末２００の周囲に存在する基地局である。測定結果は、例えば、３ＧＰＰにおけるMeasurement Reportである。フェムト基地局１００は、複数の無線端末２００が接続されている場合、それぞれの無線端末２００に、測定結果を要求してもよい。測定結果は、無線端末２００の周囲の基地局の状況を含む。フェムト基地局１００のフェムトセルは、マクロ基地局３００のマクロセルに比べて、十分小さい。１つのフェムトセル内で、フェムト基地局１００以外の他のフェムト基地局、マクロ基地局３００で、無線端末２００が接続可能な基地局は変更されないと考えることもできる。また、１つのフェムトセル内で、無線端末２００における受信品質の変動も十分小さいと考えることができる。よって、フェムト基地局１００に接続される無線端末２００の測定結果は、当該フェムト基地局１００の周囲の基地局の状況とほぼ同じである。基地局が動かないと仮定すると、フェムト基地局１００に接続される無線端末２００の周囲の基地局の状況が変化した場合、フェムト基地局１００が移動したとみなせる。
【００５７】
フェムト基地局１００は、無線端末２００から、測定結果の要求に対する応答（即ち、測定結果）を受信したか否かを確認する（Ｓ１０３）。フェムト基地局１００は、複数の無線端末２００に対して測定結果を要求した場合、測定結果を要求した無線端末２００から測定結果を受信したか否かを確認する。測定結果を受信していない無線端末２００があ
る場合（Ｓ１０３；ＮＯ）、フェムト基地局１００は、測定結果を受信するまで待機する。フェムト基地局１００は、所定時間経過しても測定結果を受信しない場合、無線端末２００がフェムト基地局１００のフェムトセルの範囲外に移動したとみなして、処理を終了してもよい。測定結果を受信した場合（Ｓ１０３；ＹＥＳ）、フェムト基地局１００は、測定結果の受信回数を１回加算し、処理がステップＳ１０４に進む。測定結果の受信回数は、メモリ１２０に格納される。測定結果の受信回数の初期値は、０回である。
【００５８】
フェムト基地局１００は、測定結果を受信すると、当該測定結果を移動情報１２１としてメモリ１２０に格納する（Ｓ１０４）。移動情報１２１は、他の記憶装置に格納されてもよい。
【００５９】
フェムト基地局１００は、無線端末２００から測定結果を、所定回数ｎ回、受信したか否かを確認する（図５：Ｓ１０５）。所定回数ｎ回として、任意の回数が設定される。所定回数ｎ回は、例えば、２回、４回、８回等とされる。無線端末２００から測定結果を受信した回数（受信回数）がｎ回未満の場合（Ｓ１０５；ＮＯ）、フェムト基地局１００は、所定時間待機し（Ｓ１０６）、処理がステップＳ１０１に戻る。無線端末２００による測定結果は、様々な環境の影響をうける可能性があるため、変動しやすい。そのため、フェムト基地局１００は、所定回数ｎ回、測定結果を要求して測定結果の平均をとることで、より正確な測定結果を得られる。ステップＳ１０６における所定時間は、例えば、１００ｍｓ、３００ｍｓである。
【００６０】
無線端末２００から測定結果を受信した回数が、所定回数ｎ回である場合（Ｓ１０５；ＹＥＳ）、フェムト基地局１００は、測定結果の受信回数を０回にリセットする。フェムト基地局１００は、測定結果に受信品質が含まれている場合、測定結果の平均として、基地局毎にｎ回分の受信品質の平均を算出する。フェムト基地局１００は、メモリ１２０又は他の記憶装置に、無線端末２００が受信した信号の送信元の基地局の識別子とともに、測定結果の平均を登録する。フェムト基地局１００は、測定結果に受信品質が含まれていない場合、測定結果として、無線端末２００が受信した信号の送信元の基地局の識別子を、メモリ１２０又は他の記憶装置に登録する。ここで、フェムト基地局１００が格納した測定結果の平均または測定結果は、登録済の測定結果という。
【００６１】
フェムト基地局１００は、ステップＳ１０５で登録した登録済の測定結果は、電源投入後、最初の登録か否かを確認する（Ｓ１０７）。電源投入後、最初の登録ではない場合（Ｓ１０７；ＮＯ）、フェムト基地局１００は、先に登録した登録済みの測定結果をメモリ１２０または他の記憶装置から削除する（Ｓ１０８）。フェムト基地局１００には、最新の登録済の測定結果が格納される。フェムト基地局１００の電源が切断されたとき、フェムト基地局１００には、最新の登録済の測定結果が格納されている。次に、フェムト基地局１００は、所定時間待機し（Ｓ１０９）、処理がステップＳ１０１に戻る。ステップＳ１０９における所定時間は、ステップＳ１０６における所定時間より長い時間とする。頻繁に測定結果を要求することは、フェムト基地局１００および無線端末２００の負荷の増大につながることがある。また、フェムト基地局１００に接続する無線端末２００の周囲の基地局の状況は、頻繁に変更されない。よって、頻繁に測定結果を要求することは好ましくない。ステップＳ１０９における所定時間は、例えば、１時間、１日である。
【００６２】
ステップＳ１０７に戻って、電源投入後、最初の登録である場合（Ｓ１０７；ＹＥＳ）、フェムト基地局１００は、メモリ１２０または他の記憶装置に、フェムト基地局１００の電源投入前に登録された登録済の測定結果があるか否かを確認する（Ｓ１１０）。電源投入前に登録された登録済の測定結果がない場合（Ｓ１１０；ＮＯ）、処理がステップＳ１１８に進む。
【００６３】
ステップＳ１０７において、電源投入中におけるフェムト基地局１００の移動を考慮して、フェムト基地局１００は、例えば、所定時間毎に、処理をステップＳ１１０に進めてもよい。
【００６４】
今回の電源投入前に登録された登録済の測定結果がある場合（Ｓ１１０；ＹＥＳ）、フェムト基地局１００は、電源投入前に登録された登録済の測定結果と、今回登録された登録済の測定結果とを比較する（図６：Ｓ１１１）。フェムト基地局１００における移動の判定については、後に詳述する。フェムト基地局１００は、ステップＳ１１１において、「移動」、「移動の可能性あり」、「移動なし」のいずれか１つに、判定する。ここで、「移動」とは、フェムト基地局１００が移動したと判定されたことを示す。「移動なし」とは、フェムト基地局１００が移動していないと判定されたことを示す。「移動の可能性あり」とは、フェムト基地局１００が移動した可能性があると判定されたことを示す。
【００６５】
フェムト基地局１００が「移動」と判定した場合（Ｓ１１２；ＹＥＳ）、フェムト基地局１００は、「移動」と判定された場合の処理が指定されているか否かを確認する（Ｓ１１３）。処理の内容は、例えば、記憶装置やメモリに予め格納されている。「移動」と判定された場合の処理が指定されていない場合（Ｓ１１３；ＮＯ）、処理がステップＳ１１５に進む。「移動」と判定された場合の処理が指定されている場合（Ｓ１１３；ＹＥＳ）、フェムト基地局１００は予め指定されている処理を実行する（Ｓ１１４）。指定される処理として、例えば、フェムト基地局１００における無線信号の送受信を停止すること、フェムト基地局１００の電源をＯＦＦにすること、ＬＥＤを点灯すること、ディスプレイに表示すること、電子メールを送信すること等が挙げられる。これらの処理が実行されることで、フェムト基地局１００のユーザ、管理者等にフェムト基地局１００が移動したことを認識させることができる。ステップＳ１１５では、フェムト基地局１００は、フェムト基地局１００が移動したことを管理ノード４００に通知し（Ｓ１１５）、処理がステップＳ１１８に進む。
【００６６】
フェムト基地局１００が「移動の可能性あり」と判定した場合（Ｓ１１２；ＮＯかつＳ１１６；ＹＥＳ）、フェムト基地局１００は、フェムト基地局１００が移動した可能性があることを管理ノード４００に通知し（Ｓ１１７）、処理がステップＳ１１８に進む。
【００６７】
フェムト基地局１００が「移動なし」と判定した場合（Ｓ１１２；ＮＯかつＳ１１６；ＮＯ）、処理がステップＳ１１８に進む。
【００６８】
ステップＳ１１８では、フェムト基地局１００は、自装置の運用を継続しているか否かを確認する。自装置の運用を継続している場合（Ｓ１１８；ＹＥＳ）、処理がステップＳ１０１に戻る。自装置の運用を継続していない場合（Ｓ１１８；ＮＯ）、フェムト基地局１００は、自装置を停止し、当該動作フローにおける処理が終了する。
【００６９】
ここでは、フェムト基地局１００の電源が再度投入された際に、電源投入前の登録済の測定結果と、電源投入後の登録済の測定結果との比較をしている。フェムト基地局１００は、電源の切断および投入が無くても、所定時間毎に、以前の登録済の測定結果と最新の登録済の測定結果との比較をして、移動の判定をしてもよい。
【００７０】
動作フローにおける各動作は、時系列的に実行されなくても、並列的または個別に実行されてもよい。
【００７１】
〈Ｓ１１１における比較・例１〉
Ｓ１１１における比較の例１について説明する。フェムト基地局１００は、今回の電源投入前に登録された登録済の測定結果と、今回の電源投入後に登録された登録済の測定結
果（今回登録された登録済の測定結果）とを比較する。ここでは、フェムト基地局１００は、測定結果における基地局ＩＤを比較する。
【００７２】
図７は、フェムト基地局における登録済の測定結果の比較の動作フローの例１を示す図である。
【００７３】
フェムト基地局１００は、今回の電源投入前に登録された登録済の測定結果から、基地局ＩＤを抽出する。抽出された基地局ＩＤを前回の基地局ＩＤ群とする。今回の基地局ＩＤ群に含まれる基地局ＩＤは、今回の電源投入前（前回、電源が投入されていた最中）に、フェムト基地局１００と接続していた無線端末２００において受信された信号の送信元の基地局の識別子である。また、フェムト基地局１００は、今回、登録された登録済の測定結果から、基地局ＩＤを抽出する。抽出された基地局ＩＤを今回の基地局ＩＤ群とする。今回の基地局ＩＤ群に含まれる基地局ＩＤは、今回の電源投入後に、フェムト基地局１００と接続していた無線端末２００において受信された信号の送信元の基地局の識別子である。
【００７４】
フェムト基地局１００は、前回の基地局ＩＤ群に含まれている基地局ＩＤが今回の基地局ＩＤ群に含まれているか否かを判定する（Ｓ２０１）。前回の基地局ＩＤ群に含まれている基地局ＩＤが今回の基地局ＩＤ群に含まれていない場合（Ｓ２０１；ＮＯ）、処理がステップＳ２０２に進む。ステップＳ２０２では、フェムト基地局１００は、今回の基地局ＩＤ群に含まれている基地局ＩＤに前回の基地局ＩＤ群に含まれていないものがあるか否かを判定する（Ｓ２０２）。今回の基地局ＩＤ群に含まれている基地局ＩＤに前回の基地局ＩＤ群に含まれていないものがある場合（Ｓ２０２；ＹＥＳ）、フェムト基地局１００は、「移動」と判定する。「移動」とは、フェムト基地局１００が前回電源が投入されていた最中に存在した位置とフェムト基地局１００が現在存在する位置とが、異なることを意味する。今回の基地局ＩＤ群に含まれている基地局ＩＤに前回の基地局ＩＤ群に含まれていないものがない場合（Ｓ２０２；ＮＯ）、フェムト基地局１００は、「移動の可能性あり」と判定する。「移動の可能性あり」とは、フェムト基地局１００が前回電源が投入されていた最中に存在した位置とフェムト基地局１００が現在存在する位置とが、異なる可能性があることを意味する。なぜなら、ステップＳ２０１の判定で、前回の基地局ＩＤ群に含まれている基地局ＩＤが今回の基地局ＩＤ群に含まれていないからである。
【００７５】
前回の基地局ＩＤ群に含まれている基地局ＩＤが今回の基地局ＩＤ群に含まれている場合（Ｓ２０１；ＹＥＳ）、処理がステップＳ２０３に進む。ステップＳ２０３では、フェムト基地局１００は、今回の基地局ＩＤ群に含まれている基地局ＩＤに前回の基地局ＩＤ群に含まれていないものがあるか否かを判定する。今回の基地局ＩＤ群に含まれている基地局ＩＤに前回の基地局ＩＤ群に含まれていないものがある場合（Ｓ２０３；ＹＥＳ）、フェムト基地局１００は、「移動の可能性あり」と判定する。今回の基地局ＩＤ群に含まれている基地局ＩＤに前回の基地局ＩＤ群に含まれていないものがない場合（Ｓ２０３；ＮＯ）、フェムト基地局１００は、「移動なし」と判定する。「移動なし」とは、フェムト基地局１００が前回電源が投入されていた最中に存在した位置とフェムト基地局１００が現在存在する位置とが、同じあることを意味する。
【００７６】
フェムト基地局１００は、前回の基地局ＩＤ群と今回の基地局ＩＤ群とに基づいて、フェムト基地局１００の移動の有無を示す、「移動」「移動の可能性あり」「移動なし」を判定する。
【００７７】
ステップＳ２０１、ステップＳ２０２、ステップＳ２０３における基地局ＩＤには、フェムト基地局１００自身の基地局ＩＤは含まれない。
【００７８】
フェムト基地局１００における「移動の可能性あり」との判定を、すべて「移動」と判定してもよい。
【００７９】
〈Ｓ１１１における比較・例２〉
Ｓ１１１における比較の例２について説明する。フェムト基地局１００は、今回の電源投入前に登録された登録済の測定結果と、今回の電源投入後に登録された登録済の測定結果（今回登録された登録済の測定結果）とを比較する。ここでは、フェムト基地局１００は、測定結果における基地局ＩＤおよび測定結果における受信品質を比較する。
【００８０】
図８は、フェムト基地局における登録済の測定結果の比較の動作フローの例２を示す図である。
【００８１】
フェムト基地局１００は、上記の例と同様に、登録済の測定結果から基地局ＩＤを抽出し、前回の基地局ＩＤ群、今回の基地局ＩＤ群とする。また、フェムト基地局１００は、電源投入前に登録された登録済の測定結果と、今回登録された登録済の測定結果から、基地局ＩＤ毎に、受信信号の受信品質を抽出する。
【００８２】
フェムト基地局１００は、前回の基地局ＩＤ群に含まれている基地局ＩＤが今回の基地局ＩＤ群に含まれているか否かを判定する（Ｓ３０１）。前回の基地局ＩＤ群に含まれている基地局ＩＤが今回の基地局ＩＤ群に含まれていない場合（Ｓ３０１；ＮＯ）、処理がステップＳ３０２に進む。ステップＳ３０２では、フェムト基地局１００は、今回の基地局ＩＤ群に含まれている基地局ＩＤに前回の基地局ＩＤ群に含まれていないものがあるか否かを判定する。今回の基地局ＩＤ群に含まれている基地局ＩＤに前回の基地局ＩＤ群に含まれていないものがある場合（Ｓ３０２；ＹＥＳ）、フェムト基地局１００は、「移動」と判定する。今回の基地局ＩＤ群に含まれている基地局ＩＤに前回の基地局ＩＤ群に含まれていないものがない場合（Ｓ３０２；ＮＯ）、フェムト基地局１００は、「移動の可能性あり」と判定する。
【００８３】
前回の基地局ＩＤ群に含まれている基地局ＩＤが今回の基地局ＩＤ群に含まれている場合（Ｓ３０１；ＹＥＳ）、処理がステップＳ３０３に進む。ステップＳ３０３では、フェムト基地局１００は、前回の基地局ＩＤ群および今回の基地局ＩＤ群の双方に含まれる基地局ＩＤを抽出する。フェムト基地局１００は、抽出した基地局ＩＤについての受信品質を、登録済の測定結果から抽出する。フェムト基地局１００は、抽出した受信品質に基づく指標値を算出する。受信品質に基づく指標値の例については、後に説明する。
【００８４】
フェムト基地局１００は、算出した指標値が所定値Ａ以上であるか否かを判定する（Ｓ３０３）。算出した指標値が所定値Ａ以上である場合（Ｓ３０３；ＹＥＳ）、フェムト基地局１００は「移動」と判定する。算出した指標値が所定値Ａ未満である場合（Ｓ３０３；ＮＯ）、フェムト基地局１００は算出した指標値が所定値Ｂ以上であるか否かを判定する（Ｓ３０４）。ここで、所定値Ｂは、所定値Ａより小さい値である。算出した指標値が所定値Ｂ以上である場合（Ｓ３０４；ＹＥＳ）、フェムト基地局１００は「移動の可能性あり」と判定する。算出した指標値が所定値Ｂ未満である場合（Ｓ３０４；ＮＯ）、フェムト基地局１００は「移動なし」と判定する。
【００８５】
ステップＳ３０１、ステップＳ３０２における基地局ＩＤには、フェムト基地局１００自身の基地局ＩＤは含まれない。
【００８６】
フェムト基地局１００における「移動の可能性あり」との判定を、すべて「移動」と判定してもよい。
【００８７】
フェムト基地局が算出する受信品質に基づく指標値の例として次のものが挙げられる。ここでの基地局ＩＤは、前回の基地局ＩＤ群および今回の基地局ＩＤ群の双方に含まれる基地局ＩＤである。受信品質の例として、ＲＳＲＰが挙げられる。
（１）  前回の基地局ＩＤ群における基地局ＩＤに対応する受信品質の平均値と、今回の基地局ＩＤ群における基地局ＩＤに対応する受信品質の平均値との差。
（２）  前回の基地局ＩＤ群における基地局ＩＤに対応する受信品質の最大値および最小値の差と、今回の基地局ＩＤ群における基地局ＩＤに対応する受信品質の最大値および最小値の差との差。
（３）  前回の基地局ＩＤ群における基地局ＩＤに対応する受信品質とフェムト基地局からの信号の受信品質との差の平均値と、今回の基地局ＩＤ群における基地局ＩＤに対応する受信品質とフェムト基地局からの信号の受信品質との差の平均値との差。
（４）  前回の基地局ＩＤ群における基地局ＩＤに対応する受信品質とフェムト基地局からの信号の受信品質との差の最大値及び最小値の差と、今回の基地局ＩＤ群における基地局ＩＤに対応する受信品質とフェムト基地局からの信号の受信品質との差の最大値及び最小値の差との差。
【００８８】
それぞれの差については、差の絶対値をとることとする。
【００８９】
これらの指標値が小さい値（指標値Ｂ未満）であることは、今回と前回との受信品質で差がないことを示す。よって、これらの指標値が小さい値（指標値Ｂ未満）であることは、フェムト基地局１００が移動していないとみなされる。
【００９０】
一方、これらの指標値が大きい値（指標値Ａ以上）であることは、今回と前回との受信品質で所定以上の差があることを示す。フェムト基地局１００のフェムトセルはマクロ基地局のマクロセルよりも十分小さいことから、移動していないフェムト基地局１００のフェムトセル内では、無線端末２００における受信品質はほとんど変動しないと考えられる。よって、今回と前回との受信品質で所定以上の差があることは、フェムト基地局１００が移動したとみなされる。
【００９１】
フェムト基地局からの信号の受信品質とは、無線端末２００がフェムト基地局１００から受信する信号の受信品質である。
【００９２】
上記以外の指標値が使用されてもよい。指標値が、値がより大きい場合に移動していないとされる指標値である場合、例えば、指標値の逆数を新たな指標値とすることにより、図８の動作フローが適用されうる。
【００９３】
〈動作シーケンス〉
図９、図１０は、本実施形態における動作シーケンスの例を示す図である。図９の「Ｘ１」、「Ｘ２」、「Ｘ３」、「Ｘ４」は、それぞれ、図１０の「Ｘ１」、「Ｘ２」、「Ｘ３」、「Ｘ４」に接続される。図９、図１０の例は、フェムト基地局１００、無線端末２００、マクロ基地局３００、管理ノード４００における動作シーケンスの例である。図１のように、複数の無線端末２００、複数のマクロ基地局３００が存在してもよい。
【００９４】
フェムト基地局１００は、電源が投入される（ＳＱ１００１）と、無線端末２００との接続が開始される。無線端末２００とフェムト基地局１００とが接続されると、フェムト基地局１００は、無線端末２００に対し、測定結果（例えば、Measurement Report）を要求する（ＳＱ１００２）。ここで、フェムト基地局１００は、無線端末２００に対し、所定時間毎の所定回数の測定による測定結果を要求してもよい。フェムト基地局１００は、複数の無線端末２００に対し、測定結果を要求してもよい。
【００９５】
無線端末２００は、フェムト基地局１００から測定結果の要求を受信すると、マクロ基地局３００から参照信号（ＲＳ信号）を受信し、受信品質を測定する（ＳＱ１００３）。また、無線端末２００は、フェムト基地局１００から参照信号を受信し、受信品質を測定する。
【００９６】
無線端末２００は、測定結果を、フェムト基地局１００に送信する（ＳＱ１００４）。測定結果には、無線端末２００が信号を受信する基地局の基地局ＩＤ、当該基地局からの信号の受信品質（例えば、ＲＳＲＰ）が含まれる。無線端末２００は、測定結果を、測定回毎に、フェムト基地局１００に送信してもよい。無線端末２００は、測定結果を、所定回数分まとめて、フェムト基地局１００に送信してもよい。
【００９７】
フェムト基地局１００は、無線端末２００から受信した測定結果を、メモリや記憶装置等に格納する（ＳＱ１００５）。
【００９８】
ＳＱ１００２からＳＱ１００５までの動作は、所定時間毎に繰り返される。繰り返されることにより、フェムト基地局１００は、最新の測定結果を保持できる。
【００９９】
フェムト基地局１００は、ユーザによる操作等により、電源を切断される（ＳＱ１００６）。このとき、フェムト基地局１００は、電源を切断される前に格納された測定結果を保持している。
【０１００】
フェムト基地局１００は、電源が投入されている間、移動されないものとみなす。フェムト基地局１００は、電源が切断されている間に、移動される可能性がある。
【０１０１】
フェムト基地局１００は、再び電源が導入される（図１０：ＳＱ１０１１）と、無線端末との接続が開始される。ＳＱ１０１２からＳＱ１０１５までの動作は、図９のＳＱ１００２からＳＱ１００５までの動作と同様である。
【０１０２】
フェムト基地局１００は、電源投入前に登録された登録済の測定結果（ＳＱ１００５で記録した測定結果）と、今回登録された登録済の測定結果（ＳＱ１０１５で記録した測定結果）とを比較する（ＳＱ１０１６）。フェムト基地局１００は、比較の結果、「移動」または「移動の可能性あり」と判断した場合、管理ノード４００に「移動」または「動の可能性あり」を通知する（ＳＱ１０１７）。フェムト基地局１００は、判定結果に応じた所定の処理が規定されている場合、当該所定の処理を実行する（ＳＱ１０１８）。
【０１０３】
（具体例）
図１を用いて具体例について説明する。図１のように、フェムト基地局１００が、家屋４０２のフェムト基地局１００Ａの位置から家屋４０４のフェムト基地局１００Ｂの位置に移動した場合について説明する。ここで、無線端末２０２はフェムト基地局１００Ａのフェムトセルに存在し、無線端末２０４はフェムト基地局１００Ｂのフェムトセルに存在する。即ち、無線端末２０２はフェムト基地局１００Ａと通信でき、無線端末２０４はフェムト基地局１００Ｂと通信できる。
【０１０４】
家屋４０２において、フェムト基地局１００Ａの電源が投入されると、フェムト基地局１００Ａは、無線端末２０２と通信する。フェムト基地局１００Ａは、無線端末２０２に対し、測定結果を要求する。無線端末２０２は、マクロ基地局３０２、マクロ基地局３０４、フェムト基地局１００Ａから参照信号を受信し、当該信号の受信品質を測定する。無線端末２０２は、マクロ基地局３０２、マクロ基地局３０４、フェムト基地局１００Ａの基地局ＩＤおよびこれらに対応する受信品質を、測定結果として、フェムト基地局１００に送信する。フェムト基地局１００は、受信した測定結果を格納する。
【０１０５】
ここで、フェムト基地局１００が、ユーザ等により、家屋４０２のフェムト基地局１００Ａの位置から、家屋４０４のフェムト基地局１００Ｂの位置に移動されたとする。移動の際、フェムト基地局１００の電源は切断される。
【０１０６】
家屋４０４において、フェムト基地局１００Ｂの電源が再び投入されると、フェムト基地局１００Ｂは、無線端末２０４と通信する。無線端末２０４は、無線端末２０２と同一の端末であっても、異なる端末であってもよい。フェムト基地局１００Ｂは、無線端末２０４に対し、測定結果を要求する。無線端末２０４は、マクロ基地局３０４、マクロ基地局３０６、フェムト基地局１００Ｂから参照信号を受信し、当該信号の受信品質を測定する。無線端末２０４は、マクロ基地局３０４、マクロ基地局３０６、フェムト基地局１００Ｂの基地局ＩＤおよびこれらに対応する受信品質を、測定結果として、フェムト基地局１００に送信する。フェムト基地局１００は、受信した測定結果を格納する。
【０１０７】
フェムト基地局１００は、電源投入前に受信した測定結果（フェムト基地局１００Ａの位置で受信した測定結果）と、電源投入後に受信した測定結果（フェムト基地局１００Ｂの位置で受信した測定結果）とを比較する。ここでは、フェムト基地局１００は、図７の動作フローによって比較をするとする。電源投入前の測定結果には、マクロ基地局３０２およびマクロ基地局３０４の基地局ＩＤが含まれる。電源投入後の測定結果には、マクロ基地局３０４およびマクロ基地局３０６の基地局ＩＤが含まれる。マクロ基地局３０４の基地局ＩＤは、前回の基地局ＩＤ群にも、今回の基地局ＩＤ群にも含まれている。また、マクロ基地局３０６の基地局ＩＤは、前回の基地局ＩＤ群は含まれないが、今回の基地局ＩＤ群に含まれる。よって、このとき、フェムト基地局１００は、「移動の可能性あり」と判定する。
【０１０８】
（実施形態の作用、効果）
フェムト基地局１００は、接続されている無線端末２００に対し、測定結果を要求する。測定結果は、無線端末２００の周囲の基地局の情報を含む。フェムト基地局１００は、以前の測定結果と最新の測定結果とを比較することで、自装置が移動したか否かを判定する。
【０１０９】
フェムト基地局１００は、マクロ基地局３００からの信号を受信することなく、自装置の移動を検出することができる。また、フェムト基地局１００は、ＧＰＳを搭載することなく、自装置の移動を検出することができる。フェムト基地局１００は、無線端末２００を使用して、フェムト基地局１００が移動したか否かを検出することができる。
【０１１０】
フェムト基地局１００は、無線端末２００が従来備えている機能を使用して、測定結果を要求することができる。即ち、無線端末２００の構成を従来の構成から変更することなく、本実施形態のフェムト基地局１００は実現されうる。
【符号の説明】
【０１１１】
１０      ネットワーク
１００      フェムト基地局
１１０        ＣＰＵ
１２０        メモリ
１３０        ＤＳＰ
１４０        ＲＦ処理部
１５０        通信ＩＦ
２００      無線端末
２０２      無線端末
２０４      無線端末
２１０        ＣＰＵ
２２０        ＦＰＧＡ
２３０        ＲＦ処理部
３００      マクロ基地局
３０２      マクロ基地局
３０４      マクロ基地局
３０６      マクロ基地局
４００      管理ノード
【図１】
0005906763.tif 000002
【図２】
0005906763.tif 000003
【図３】
0005906763.tif 000004
【図４】
0005906763.tif 000005
【図５】
0005906763.tif 000006
【図６】
0005906763.tif 000007
【図７】
0005906763.tif 000008
【図８】
0005906763.tif 000009
【図９】
0005906763.tif 000010
【図１０】
0005906763.tif 000011
【図１１】
0005906763.tif 000012